Podtech/llm-jp-corpus-v4-ja_patent huggingface dataset:
(57)【要約】【解決手段】スペースをとらず使用に便利なCDプレーヤーを具有する電気照明スタンドを提供する。【課題】電気照明スタンド１０の底部１１に設けた板１２上に音楽やラジオ放送受信機能等を具有する設備であるCDプレーヤー２０を着脱可能な状態で嵌設し、スピーカー17を同様に収容部１６に収め、且つ、該CDプレーヤー２０の電源をコード２３を介して該電気照明スタンド１０と共用することにより、照明以外にも音楽を再生したりする機能を同時に提供する。【選択図】図１
0003108297.tif 000002
【実用新案登録請求の範囲】
【請求項１】
電気照明スタンドとCDプレーヤーとより構成され、
該電気照明スタンド底部の板上には該CDプレーヤーを嵌合するホルダ、及び二つのスピーカー収容部が設けられ、
更に該CDプレーヤーとスピーカーをスピーカーコードにより相互に接続し、その電源を該電気照明スタンドと共有すべく電源コードを接続すべく該ホルダ中には数個のコード挿通用穿孔が設けられており、
照明に加え、音楽再生機能及びラジオ放送受信機能などを併せ有することを特徴とするCDプレーヤーを具有する電気照明スタンド。
【請求項２】
該底部の板上に設けられたCDプレーヤーを嵌設するホルダは、該板面より下に窪み、該CDプレーヤーが該ホルダ中に直接嵌合されて該CDプレーヤーの蓋のみが該ホルダより突出した形態となって該電気照明スタンドと一体化した構造を呈することを特徴とする請求項１記載のCDプレーヤーを具有する電気照明スタンド。
【考案の詳細な説明】
【技術分野】
【０００１】
本考案はCDプレーヤーを具有する電気照明スタンドに係り、特に電気照明スタンド上に音楽を再生する機能を具有する装置が嵌合されており、且つ該音楽再生装置の電源は電気照明スタンドの電源と共同で使用することで、照明機能に加え、音楽を再生する機能を兼ね備えるCDプレーヤーを具有する電気照明スタンドに関わる。
【背景技術】
【０００２】
一般に使用されている公知の電気照明スタンドでは、勉強机等に置き、手元を明るく照らしたりする機能を提供している。
また、同様に市販されている公知のCDプレーヤーにおいては、音楽再生機能等に加え、ラジオ放送を聞く機能や他の機能がついているものが主流となっている。
【特許文献１】特開平７−８５９７８号公報
【考案の開示】
【考案が解決しようとする課題】
【０００３】
しかし、上述のような公知の電気照明スタンド及びCDプレーヤーの両者を合わせた価格は、安価ではなく、また両者を一台ずつ買い揃えて使用した場合はスペースをとること等の欠点がある。
そこでこれらの欠点に鑑み、スペースをとらず使用に便利な本考案のCDプレーヤーを具有する電気照明スタンドを提供する。
【課題を解決するための手段】
【０００４】
電気照明スタンドの底部に設けた板上に着脱可能な状態で音楽やラジオ放送機能を具有するCDプレーヤー等の設備を嵌設し、且つ該設備の電源を該電気照明スタンドと共用することで、照明以外にも音楽を再生したりする機能を同時に提供する。
【考案の効果】
【０００５】
本考案によると、電気照明スタンドに照明の機能以外にも音楽を再生する機能等が設けられたことで使用に便利、且つ消費者が電気照明スタンドとCDプレーヤーの二つを買い揃える必要がなくなり、同時に省スペースの目的が達成された。
【考案を実施するための最良の形態】
【０００６】
図１，２に示すように、本考案は電気照明スタンド１０を具有し、該電気照明スタンドの下方は底部１１となっており、該底部１１上方には板１２が設けられ、且つ該板１２上には環状に突起したホルダ１３が設けられており、該ホルダ１３中には数個の穿孔１４が設けられており、且つ該ホルダ１３外側の該板１２上には更に二つの収容部１６が設けられており、該収容部１６中にはスピーカー１７が収められて、該スピーカー１７上にはスピーカー蓋１８が定位される。
【０００７】
該CDプレーヤー２０においては、ラジオ機能等も具有するが、公知の技術に係るため敢えて詳細には記載しない。該CDプレーヤー２０は該ホルダ１３中に嵌設され、該CDプレーヤー２０上方の可動蓋２１は外に露出している状態を呈し、開け閉めができるようになっている。該CDプレーヤー２０の電源コード２３は該板１２上の穿孔１４を挿通し、該電気照明スタンド１０の電源と相互に接続される。該CDプレーヤー２０のスピーカーコード２４においても、該板１２上の穿孔１４を穿ち、該スピーカー１７と接続される。
【０００８】
使用の際には、使用者により該電気照明スタンド１０の照明機能をのみ選択する、或いは単独で該CDプレーヤー２０によりラジオ放送を聴いたり音楽を再生するといった機能を選択する、又は同時に上述の両者を選択する。
その他、該CDプレーヤー２０と電気照明スタンド１０は分解することができるものであり、万一該CDプレーヤー２０が故障した場合にでも、該CDプレーヤー２０のスピーカーコード２４と電源コード２３を該板１２のホルダ１３上より取り外し、該CDプレーヤー２０を修理に出したりする際にも便利になっている。
【０００９】
また図３に示すように、本考案の第二実施例では、該底部１１上のホルダ１３が該板１２よりも低く窪んだ状態としたものであり、該CDプレーヤー２０が直接該ホルダ１３中に嵌設される。即ち該CDプレーヤー２０の可動蓋２１のみが該ホルダ１３中よりやや突出し、該CDプレーヤー２０と電気照明スタンド１０の底部１１の板１２を一体化した構造とするものである。
【図面の簡単な説明】
【００１０】
【図１】本考案における第一実施例の立体分解図である。
【図２】図１における組み立て後の外観図である。
【図３】本考案における第二実施例の組み立て後を示す立体図である。
【符号の説明】
【００１１】
１０  電気照明スタンド
１１  底部
１２  板
１３  ホルダ
１４  穿孔
１６  収納部
１７  スピーカー
１８  スピーカー蓋
２０  CDプレーヤー
２１  可動蓋
２３  電源コード
２４  スピーカーコード
【図１】
0003108297.tif 000003
【図２】
0003108297.tif 000004
【図３】
0003108297.tif 000005
(57)【要約】【課題】  遊技者単独でも知的刺激を喚起しながら遊技することが可能なばかりでなく、指先の機能訓練をも兼ねることができるゲーム器具を提供する。【解決手段】  本考案のゲーム器具１は、複数の半球状凹部２（以下、穴２という）を配列した矩形状のゲーム盤３と、この半球状凹部２に嵌入可能な複数のビー玉４（以下、駒４という）とを備えている。ゲーム盤３において、複数の穴２は全体を略八角形状に配列（３７穴）され、盤面の下部には、池と称する開口凹所５が設けられ、ゲーム中の捨て駒４を置いたり、不使用時の駒４を収納できるようにされている。また、ゲーム盤３の四辺には盤上から駒４が落下するのを防止するための障壁６が上方に向って立設されている。【選択図】  図１
0003108223.tif 000002
【実用新案登録請求の範囲】
【請求項１】
複数の凹部が方向の異なる２以上の直列部分を形成するように配列されたゲーム盤と、前記凹部に嵌入可能な複数の球状体のゲーム駒とを備えたことを特徴とするゲーム器具。
【請求項２】
ゲーム駒が複数の色に彩色されたビー玉であることを特徴とする請求項１記載のゲーム器具。
【考案の詳細な説明】
【技術分野】
【０００１】
本考案は、単数の遊技者が一定のルールに従ってゲーム盤に駒を並べながら遊技するゲーム器具に関するものである。
【背景技術】
【０００２】
従来、升目が形成されたゲーム盤と複数の駒からなるゲーム器具といえば、チェス、将棋、囲碁等がある。例えば、オセロゲーム（商品名）は、現在、その名称、形態、ルールなどは著名であり、世界的なゲーム器具となっている。
【０００３】
例えば、オセロゲーム（商品名）は、二人の対戦者が、表裏が白色、黒色に色分けされたコイン状の駒を交互にゲーム盤上に描かれた格子内に配置して行き、相手の駒を自分の駒で挟んだ際に、挟まれた駒を反転させて自分の色にするという手順を繰り返して行く遊技であり、全ての格子が駒で埋め尽くされた時点でゲームが終了し、その時、白色、黒色のいずれの駒の数が多いかによって勝負が決定される。
【０００４】
オセロゲーム（商品名）は、器具やルールが簡単で覚えやすく、囲碁や将棋などの他の遊技に比べて短時間で勝負がつきやすいが、勝負の行方が最後まで分からず、知的刺激を喚起する優れた遊技である。ところが、このゲームは、対戦者が二人でなければゲームを行うことができないため、麻雀やトランプなどのように３人以上で行うことのできる遊技に比べるとゲームの展開がいわゆるシーソーゲームで単調になりがちであり、遊技としての醍醐味に欠ける面がある。そこで、従来のオセロゲーム（商品名）の欠点を改良し、３人以上でも行うことができるようにしたゲームとして、特許文献１、特許文献２及び特許文献３などに開示されているものがある。
【０００５】
【特許文献１】実開昭５９−７１６８２号公報
【特許文献２】特開平１１−７６４９３号公報
【特許文献３】特開２００１−３３４０１４号公報
【考案の開示】
【考案が解決しようとする課題】
【０００６】
このように、従来のゲーム器具は、通常２人以上で遊技するものであり、単数の遊技者、つまり一人で遊技できるものはなかった、また、駒の形状も比較的保持しやすい形状であり、遊技することを優先した構成とされている。本考案は、遊技者単独でも知的刺激を喚起しながら遊技することが可能なばかりでなく、指先の機能訓練をも兼ねることができるゲーム器具を提供することを目的とする。
【課題を解決するための手段】
【０００７】
このため本考案のゲーム器具は、複数の凹部が方向の異なる２以上の直列部分を形成するように配列されたゲーム盤と、前記凹部に嵌入可能な複数の球状体のゲーム駒とを備えたことを第１の特徴とする。また、ゲーム駒が複数の色に彩色されたビー玉であることを第２の特徴とする。
【考案の効果】
【０００８】
（１）遊技者単独でも知的刺激を喚起しながら遊技することが可能である。
（２）球状の駒を使用するので、高齢者等の指先の機能訓練を行うことができる。
（３）ゲーム盤面の構成が簡単で、且つ駒にビー玉を使用した場合、安価に製作できる。
【考案を実施するための最良の形態】
【０００９】
以下、本考案の実施の形態を図面に示す実施例に基づいて説明する。
図１は本考案に係るゲーム器具を示す斜視図、図２は本考案に係るゲーム器具を示す平面図、図３はゲーム器具の使用状態を示す一部切欠き断面図である。
【実施例】
【００１０】
図１及び図２に示すように、本考案のゲーム器具１は、複数の半球状凹部２（以下、穴２という）を配列した矩形状のゲーム盤３と、この半球状凹部２に嵌入可能な複数のビー玉４（以下、駒４という）とを備えている。
【００１１】
ゲーム盤３において、複数の穴２は全体を略八角形状に配列（３７穴）され、盤面の下部には、池と称する開口凹所５が設けられ、ゲーム中の捨て駒を置いたり、不使用時の駒４を収納できるようにされている。また、ゲーム盤３の四辺には盤上から駒４が落下するのを防止するための障壁６が上方に向って立設されている。
【００１２】
次に、図２、図３を参照して、ゲーム器具１の構造及び遊技方法について説明する。
図２は、ゲーム開始時の駒４の配列状態を示している。まず、３７個ある穴２の中心の１穴２（Ｃ）を除いた全ての穴２（すなわち３６穴）に駒４を嵌入する。そして、図３で矢示するように、駒４（Ａ）が駒４（Ｂ）を飛び越して空の穴２に入る（以下、ジャンプするという）と、駒４（Ｂ）を池５の中に入れる。このジャンプする際は、必ず隣接した駒４を飛び越すようにしなければならない。また、斜めのジャンプは禁止され、駒４の移動は上下左右しか許されない。さらに２個以上のジャンプも禁止、他の駒４をジャンプせずに移動することも禁止である。すなわち、駒４が一度ジャンプする度に、空穴が１個ずつ増えて行き、この空穴を利用して駒４を上下左右に移動させ駒４の数を減らして行き、ジャンプが不可能になった時点でゲーム終了となり、盤上に残っている駒４の数をできるだけ少くするように遊技するものである。
【００１３】
また、ゲーム盤３は、表面が平坦な平板３ｂに、円形の穴２や池５の部分をくり抜いた加工板３ａを積層するだけで、極めて容易に製作することができる。さらに、駒４に複数に彩色されたビー玉を用いれば、外観意匠的にも美観に優れ、遊技者は一人でも楽しんで遊技することができる。尚、本考案は上記実施例に限定されるものではなく、穴の数と配列及び駒数は任意である。また、ゲーム盤や駒は、すべて木製あるいは合成樹脂等の素材で製作するものでも良い。
【図面の簡単な説明】
【００１４】
【図１】本考案に係るゲーム器具を示す斜視図である。
【図２】本考案に係るゲーム器具を示す平面図である。
【図３】ゲーム器具の使用状態を示す一部切欠き断面図である。
【符号の説明】
【００１５】
１    ゲーム器具
２    凹部（穴）
３    ゲーム盤
３ａ  加工板
３ｂ  平板
４    駒（ビー玉）
５    池（開口凹所）
６    障壁
【図１】
0003108223.tif 000003
【図２】
0003108223.tif 000004
【図３】
0003108223.tif 000005
(57)【要約】      （修正有）【課題】眼鏡ストラップの煩わしさ鬱陶しさを無くする長さ可変透明眼鏡ストラップを提供する。【解決手段】眼鏡ストラップ１の紐部分に透明なナイロンテグスを採用し、ビニールパイプやビーズによりストラップの長さ調整３を可能にし、透明なためストラップが視界に入る鬱陶しさから解放した。【選択図】図１
0003108287.tif 000002
【実用新案登録請求の範囲】
【請求項１】
ナイロンテグス及びビニールパイプ又はビーズを使った透明で目立たない快適な眼鏡ストラップ。
【請求項２】
ナイロンテグスをビニールパイプやビーズに通すことにより、眼鏡ヨロイ部やテンプルに簡単に装着でき、かつストラップの長さ調整が簡単に出来る請求項１に記載の眼鏡ストラップ。
【考案の詳細な説明】
【考案の詳細な説明】
【考案が解決しようとする課題】
【０００１】  従来から有る眼鏡ストラップは一定長さのひも状な物や鎖を眼鏡に取り付け、眼鏡装着時には、そのストラップを首から掛けたり、直接眼鏡から垂らす物である。
眼鏡を外した状態で都合が良いようストラップの長さが決まっているため、眼鏡装着時には首に掛けた状態で弛んでおり、頬にふれたり首に触って大変煩わしさを感じたりする。
又、眼鏡から垂れ下がったストラップは視界に入り大変鬱陶しい物である。
【課題を解決するための手段】
【０００２】  上記目的を達成するために、ひも部分にナイロンテグスを採用し、それを透明なビニールパイプ又は、ビーズに輪のように曲げて通すことにより眼鏡に取り付け、ビニールパイプやビーズに二本のテグスを通すことにより長さ調整が簡単に出来るようにした。
軽量かつ透明で目立たない眼鏡ストラップとした。
【考案の効果】
【０００３】  ストラップの長さが自由に調整できるため、後頭部でストラップを止めたり、首に掛からぬ程度の長さに調整したり出来る。
眼鏡装着時には煩わしさが無く眼鏡を外したときは好みの長さに調整し首から掛けることが可能になった。
透明なため視界に入る鬱陶しさも解決し、かつ目立たない眼鏡ストラップとなった。
【図面の簡単な説明】
【０００４】
【図１】眼鏡ストラップと眼鏡の斜視図である。
【図２】長さ調整部の詳細図である。
【図３】眼鏡取り付け部分の詳細図である。
【図４】眼鏡を装着したときと、眼鏡を外したときの透視図である。
【符号の説明】
【０００５】１  眼鏡ストラップ
２  眼鏡取り付け部
３  長さ調整部
【図１】
0003108287.tif 000003
【図２】
0003108287.tif 000004
【図３】
0003108287.tif 000005
【図４】
0003108287.tif 000006
(57)【要約】      （修正有）【課題】豆科の種子の栽培において、種子を損傷せずにその表面に文字及び図案等を刻印し、メッセージ伝達のタイミングを自由に選択でき、且つ発芽後の成長過程でその文字及び図案等のメッセージを視認できるような豆科の種子自体がメッセージ伝達媒体となる栽培セットを実現する。【解決手段】豆科の種子を損傷させないように照射角度及び照射深度を調整したレーザー光線を種子表面に照射して文字及び図案等を刻印する。この種子をバーミキュライト（土壌に代わるもの）を詰めた密封容器に植え付け、栽培を始める時に初めて容器を開封し、水やりをするだけで種子が発芽できるようにした栽培セットとすることによって、発芽とともにこの種子もバーミキュライト（土壌に代わるもの）を突き破って外に成長するため、予め刻印されている文字及び図案等の多様なメッセージを伝達する。【選択図】  図２
0003108286.tif 000002
【実用新案登録請求の範囲】
【請求項１】
豆科の種子に対して、種子を損傷する事なくレーザー光線を照射することによって文字及び図案等を種子の表面に刻印し、この豆科の種子をバーミキュライト（土壌に代わるもの）を詰めた密封容器に植え付けて刻印したメッセージを伝達したいタイミングに合わせ自由に選択できるようにし、開封後に栽培しながら、この豆科の種子を直接のメッセージ伝達媒体とすることを特徴とするメッセージ入り豆科の種子の栽培セット。
【考案の詳細な説明】
【考案の詳細な説明】
【技術分野】
【０００１】本考案は、豆科の種子の表面にレーザー光線で照射する事によって文字や図案等を刻印し、多様なメッセージを伝達できる直接の媒体とする豆科の種子の栽培に関するものである。
【背景技術】
【０００２】従来、豆科の種子の栽培技術において、種子の表面に文字及び図案等を刻印し、種子が発芽し易く且つメッセージの伝達のタイミングを自由に選択できる栽培環境を整え、発芽後に刻印された文字や図案等が視認できるメッセージ伝達媒体となるものがなかった。
【考案が解決しようとする課題】
【０００３】豆科の種子の栽培において、種子を損傷せずにその表面に文字及び図案等を刻印し、メッセージ伝達のタイミングを自由に選択でき、且つ発芽後の成長過程でその文字及び図案等のメッセージを視認できるような豆科の種子自体がメッセージ伝達媒体となる栽培セットを実現する。
【課題を解決するための手段】
【０００４】上記問題点を解決するために、豆科の種子を損傷させないように照射角度及び照射深度を調整したレーザー光線を種子表面に照射して文字及び図案等を刻印する。この種子をバーミキュライト（土壌に代わるもの）を詰めた密封容器に植え付け、栽培を始める時に初めて容器を開封し、水やりをするだけで種子が発芽できるようにした栽培セットとすることによって、発芽とともにこの種子もバーミキュライト（土壌に代わるもの）を突き破って外に成長するため、予め刻印されている文字及び図案等の多様なメッセージの伝達が可能となった。
【考案を実施するための最良の形態】
【実施例】
【０００５】図１の３豆科の種子に１０文字及び図案等の刻印をレーザー光線で照射する。この時種子を損傷させないために適切な照射角度と照射深度を調整する。この刻印をした種子を図２の２のバーミキュライト（土壌に代わるもの）が入った１の容器に植え込む。この容器を密封状態にして保存し、栽培を開始する時に７プルトップを開封して水を与える。数日後発芽とともに３豆科の種子は１１の豆科のつるとともにバーミキュライト（土壌に代わるもの）を突き破り容器外に成長しはじめる。図３の１１の豆科のつるの下方にある豆科の種子に予め刻まれた文字及び図案等が視認できるようになり、豆科の種子自体が伝達媒体となる。この栽培セットは観葉植物を楽しめるとともに多様なメッセージも同時に伝達する事ができるようになった。
【考案の効果】
【０００６】観葉植物を栽培する喜びとともに、直接の伝達媒体となる豆科の種子に刻まれた多様なメッセージを発信する事ができるようになり、例えば「Ｉ  ｌｏｖｅ  ｙｏｕ」、「Ｈａｐｐｙ  Ｂｉｒｔｈｄａｙ」、或はハートのマークや社名等も簡単にメッセージとして伝達できる本栽培セットの斬新性は、広告宣伝効果を求められるノベルティグッズや送り手の気持ちが送られる人に優しく且つ確実に伝えることのできる各種プレゼントに活用することができるようになった。
【図面の簡単な説明】
【図１】文字及び図案等が刻印された豆科の種子の正面図。
【図２】栽培セットの断面図。
【図３】成長した豆科の植物と栽培セットの側面図。
【符号の説明】
１  容器
２  バーミキュライト（土壌に代わるもの）
３  豆科の種子
４  化学綿
５  フィルターネット
６  上蓋
７  プルトップ
８  穿孔
９  底蓋カバー
１０  文字及び図案の刻印
１１  豆科のつる
【図１】
0003108286.tif 000003
【図２】
0003108286.tif 000004
【図３】
0003108286.tif 000005
(57)【要約】【課題】  携帯の不便な細長管状のハロゲン電球を、予備電球として器具と一緒に携行できるハロゲンライトを提供する。【解決手段】  細長管状のハロゲン電球１３と、電球接続ソケット部１２と、反射フード１１とを備えたランプ本体１を、脚枠２１を備えた支持体２で支持してなるハロゲンライトにおいて、樹脂製の電球収納筒部３１と、電球収納筒部の下部に連設し且つビス孔を設けた固定部３３と、電球収納筒部の開口部分に装着するゴム質の蓋部３２とで形成した予備電球収納部３を、脚枠上面適宜位置に固定部をビス止めして装着してなる。【選択図】  図１
0003108268.tif 000002
【実用新案登録請求の範囲】
【請求項１】
細長管状のハロゲン電球と、電球接続ソケット部と反射フードとを備えたランプ本体を、脚枠を備えた支持体で支持してなる携帯用ハロゲンライトにおいて、樹脂製の電球収納筒部と、電球収納筒部の下部に連設し且つビス孔を設けた固定部と、電球収納筒部の開口部分に装着するゴム質の蓋部とで形成した予備電球収納部を、脚枠適宜位置に固定部をビス止めして装着してなることを特徴とする携帯用ハロゲンライト。
【請求項２】
脚枠が後方開口のコの字状で、前脚杆に予備電球収納部を装着し、側脚杆の間にアーチ部を架設し、アーチ部上に上部開口コの字状の支持腕を配置すると共に鉛直軸で枢結し、支持腕上端間にランプ本体を傾動可能に軸結し、ランプ本体に持ち手を付設してなる請求項１記載の携帯用ハロゲンライト。
【考案の詳細な説明】
【技術分野】
【０００１】
本考案は、ハロゲンライトに関するものである。
【背景技術】
【０００２】
ハロゲン電球は、周知のとおり石英ガラスの管・球内に不活性ガスと共に微量ハロゲン物質を封入した白熱電球の一種で、一般の白熱電球に比較して高出力（ワット数を高くできる）であるので、スポットライトの光源等として採用されている（特許文献１）。
【０００３】
通常の懐中電灯において、予備電球を電池収納部の蓋体箇所に収納したり、光反射板に弾性握持部を設けて装着したりしている。また自転車用照明装置においては、ダイナモカバーの一部に予備電球収納部を設けてなる（特許文献２）。
【０００４】
【特許文献１】特開平１０−１０６３４１号公報。
【特許文献２】実開平５−５４１８２号公報。
【考案の開示】
【考案が解決しようとする課題】
【０００５】
ハロゲン電球を採用したスポットライトにおいては、細長管状のスタジオ用電球が採用されている。そしてこのスポットライトは、所望の位置に配置し且つ所望方向を照らすことができるように、所定のランプ本体を、設置可能な脚部を有する適宜な支持体で支持して構成されている。
【０００６】
前記のスポットライトも当然相応時間使用するとフィラメントが断線してしまい電球の交換が必要で、電球の交換によって再度使用可能となるものである。しかし前記スポットライトは種々の箇所に設置されるもので、近くに予備電球が存在しない場合があり、撮影現場などで使用している最中に電球切れが生じ、電球交換に手間取ると撮影の進行に支障をきたすという問題がある。
【０００７】
また予備電球を照明作業者が常に携帯していれば良いが、スタジオ用ハロゲン電球は細長管状で携帯に不便であり、適切な予備電球収納箇所が存在しなかった。
【０００８】
そこで本考案は、細長管状であるハロゲン電球の予備電球収納部を備えたハロゲンライトを提案したものでる。
【課題を解決するための手段】
【０００９】
本考案に係るハロゲンライトは、細長管状のハロゲン電球と、電球接続ソケット部と反射フードとを備えたランプ本体を、脚枠を備えた支持体で支持してなるハロゲンライトにおいて、樹脂製の電球収納筒部と、電球収納筒部の下部に連設し且つビス孔を設けた固定部と、電球収納筒部の開口部分に装着するゴム質の蓋部とで形成した予備電球収納部を、脚枠上面適宜位置に固定部をビス止めして装着してなることを特徴とするものである。
【００１０】
而して蓋部を電球収納筒部の開口部分から外し、電球収納筒部に予備電球を挿入し、蓋部を装着すると、常時ハロゲンライトに、予備電球を備えることになる。
【考案の効果】
【００１１】
本考案は脚枠上面適宜位置に電球収納部を設けたものであるから、ライトの使用に全く支障が無く細長管状の予備電球を備えることができ、不測の事態（電球切れ）にも容易に対応できるものである。
【考案を実施するための最良の形態】
【００１２】
次に本考案の実施形態について説明する。実施形態のハロゲンライトは、ランプ本体１と支持体２と予備電球収納部３で構成される。
【００１３】
ランプ本体１は、前方が開口したケース体の内方に反射板を設けた反射フード１１と、反射フード１１の奥方に設けた電球接続ソケット部１２と、細長管状のハロゲン電球１３とを備え、更に反射フード１１の両側下方に足部１４を突設し、ソケット部１２には電源部１５を接続してなる。またランプ本体１に持ち手１６を付設してなる。
【００１４】
支持体２は、脚枠２１と、アーチ部２２と、支持腕２３とで構成される。脚枠２１は、後方開口のコの字状に形成したものであり、アーチ部２２は、前記脚枠２１の側脚杆の間に架設してなり、支持腕２３は、上部開口コの字状で、中心部分をアーチ部２２上に水平回動自在に枢結してなる。
【００１５】
またランプ本体１の足部１４を、前記支持腕２３の上端間にランプ本体１を前後方向で傾動可能に軸結してなる。
【００１６】
予備電球収納部３は、電球収納筒部３１と蓋部３２で構成され、電球収納筒部３１は、細長管状の予備電球（ハロゲン電球）Ａを収納できる樹脂製の有底筒体で、ビス孔を設けた固定部３３を前記電球収納筒部３１の下部に連設してなり、脚枠２１の前方脚杆にビスで装着する。
【００１７】
蓋部３２は、前記電球収納筒部３１の開口部分に密挿着できるゴム質で形成したもので予備電球Ａを電球収納筒部３１に収納した後、開口部分を塞ぐものである。
【００１８】
而して前記ハロゲンライトは、通常の使用に供するもので、脚枠２１を適宜な箇所に設置し、支持腕２３の回動並びにランプ本体１の傾動で任意方向を照射するものである。
【００１９】
この使用に際して、予備電球収納部３が前方脚杆と一体に設けられているので、予備電球収納部３を備えたことがまったく支障にならず、且つ使用中に電球切れが生じても直ちに電球の取替えが可能である。
【００２０】
尚本考案の実施形態として１本の予備電球収納を図示しているが、電球収納筒部３１の大きさによって予備電球複数個を収納するようにしても良い。
【図面の簡単な説明】
【００２１】
【図１】本考案の実施形態の全体図。
【図２】同分解斜視図。
【符号の説明】
【００２２】
１        ランプ本体
１１      反射フード
１２      電球接続ソケット部
１３      ハロゲン電球
１４      足部
１５      電源部
１６      持ち手
２        支持体
２１      脚枠
２２      アーチ部
２３      支持腕
３        予備電球収納部
３１      電球収納筒部
３２      蓋部
３３      固定部
Ａ        予備電球
【図１】
0003108268.tif 000003
【図２】
0003108268.tif 000004
(57)【要約】【課題】布基礎コンクリート１２の天端に施工されるレべリング材１３を養生する場合、「ブルーシート」によって型枠１１の露出部分全体を覆っても紐で結わいて固定することが困難で、シートが風で飛ばされてレベリング材表面が損傷を受け易い。本案は、シート裾部の置石や結わい紐を不要にして、型枠へのシートの被覆作業と取付けが簡単迅速に行えるシート１の取付け構造を提供する。【解決手段】布基礎の立上り部を形成する型枠上部及び側部を長手方向に沿って覆う長尺シートの長手方向両側縁に複数の鳩目孔４を所定間隔で設けた覆いシート１が布基礎型枠上部に掛け置かれると共に前記各鳩目孔にフック付の下方引張り手段が挿通掛止され、下方張力付与手段は、両端フック付弾性伸張体5又は一端にフック６が設けられた分銅状の錘７が用いられる。【選択図】  図１
0003108264.tif 000002
【実用新案登録請求の範囲】
【請求項１】
布基礎の立上り部を形成する型枠の上部及び側部を長手方向に覆う長尺シートの長手方向両側縁に複数の鳩目孔を所定間隔で設けた覆いシートが布基礎型枠上部に掛け置かれると共に前記鳩目孔に係合するフック付の下方引張り手段が挿通掛止されてなる布基礎養生用シートの取付け構造。
【請求項２】
下方引張り手段がフック付錘であって前記フックが鳩目孔に挿通掛止されてなる請求項１記載の布基礎養生用シートの取付け構造。
【請求項３】
下方引張り手段が両端にフックが設けられた伸長弾性体であって、その一方のフックが鳩目孔に挿通掛止され、他方のフックが型枠側面の掛止可能箇所に掛止されてなる請求項１記載の布基礎養生用シートの取付け構造。
【考案の詳細な説明】
【技術分野】
【０００１】
この考案は、布基礎立上り部の天端に施工されるモルタルやセルフレベリング材を養生するためのシート取付構造に関する。
【背景技術】
【０００２】
近年、住宅などの建築物の立上り部を構築する場合、天端面の水平レベルを迅速且つ容易に確保でき、こて作業を不要にできることなどから、コンクリートを打設した後、天端均しにセルフレベリング材（以下、単に「レべリング材」という）を10ｍｍ程度の厚さで施工することが多くなっている。
レべリング材は、施工後に養生することが好ましいが、現在行われている養生は、市販の「ブルーシート」によって図５のように型枠付の布基礎の露出部分全体を覆って日光や風雨を避けているのが一般である。
【０００３】
このような方法で養生する場合、シートが風で飛ばされないようにシート裾部に置石を置いたり、型枠側面の突出部を利用して紐で結わいたりしなければならなかった。
【考案の開示】
【考案が解決しようとする課題】
【０００４】
本考案は、置石や結わい紐を不要にして、型枠へのシートの被覆作業と取付けが簡単迅速に行え、レべリング材を風雨から保護して安全に養生ができるシートの取付け構造を提供するものである。
【課題を解決するための手段】
【０００５】
本案、布基礎養生用シートの取付け構造は、布基礎の立上り部を形成する型枠上部及び側部を長手方向に沿って覆う長尺シートの長手方向両側縁に複数の鳩目孔を所定間隔で設けた覆いシートが布基礎型枠上部に掛け置かれると共に前記各鳩目孔にフック付の下方引張り手段が挿通掛止されてなるものであり、下方張力付与手段としては、両端フック付弾性伸張体又は一端にフックが設けられた分銅状の錘で十分である。
シートの大きさは、巾400〜1000mm、好ましくは500〜800mm、長さは3ｍ以上であるのがよい。鳩目の間隔は、100〜1000mmの範囲で効果があるが、通常は300〜800mmとする。鳩目孔は、フックが挿通し易い孔径とする。
【考案の効果】
【０００６】
本案取付け構造に用いるシートは、簡単で安価に製作できる上、取付作業は型枠の両側面を含む型枠上部及び側部をシートで覆って鳩目孔にフック付の錘を吊るすか又はゴム紐の一端を掛止し、他端を掛止可能な箇所に引掛けるだけで特別な作業を必要としないので作業人員は従来の半数で足りるから極めて経済的である。
【考案を実施するための最良の形態】
【０００７】
図２において、養生シート１は、ポリエチレン製ブルーシートの長尺体を巾800ｍｍに裁断して長手方向の両側縁を夫々50ｍｍ折返してヒートシールにより折返し部２，３を形成し、孔径15ｍｍの鳩目金具４を500mm間隔で固定したものである。
下方張力付与手段は、図４のようにゴムバンドなどの弾性伸張体５の両端に掛止用のＳ字フック６を連結固定したもの又は図３のようにフックの一端に錘７を取り付けたものである。
【実施例１】
【０００８】
屋外の土台１０上に長さ5ｍの布基礎用鋼製型枠１１を立設してコンクリート１２を打設し、コンクリートの浮き水が引いてからセメント系セルフレベリング材（商品名：ＮＳベースレベラー：日本化成製）１３を10ｍｍ厚さに施工して布基礎構成体とした。
図２のシートを図１のように掛けて各鳩目孔４に質量約100グラムの分銅錘７付のフック６（図３）を引掛けて吊り下げた。
【実施例２】
【０００９】
実施例１の構成体の上部及び側部にシート１を掛け、各鳩目孔４に、図４の弾性伸張体の一方のフック６を挿通掛止すると共に他方のフックを鋼製型枠の下方の淵（図示しない）に引っ張って掛止させた。
【００１０】
（比較例）
実施例１の布基礎構成体の全体を3600ｍｍ×5400ｍｍの市販のポリエチレン製ブルーシート１４で従来法によって包み、図５のようにシートの裾部１５にコンクリートブロック１６を夫々３個、合計６個を置石とした。
【００１１】
（試験結果）
シート設置後の風速が６〜８ｍ／秒のときの結果は表のようであった。
【００１２】
【表１】
0003108264.tif 000003
【図面の簡単な説明】
【００１３】
【図１】本案養生シートの取付状態を示す断面図
【図２】シートの展開平面図
【図３】フック付錘の外面図
【図４】両端フック付弾性伸張体の外面図
【図５】従来の取付構造を示す断面図
【符号の説明】
【００１４】
１  シート
２、３  折返しシール部
４、鳩目金具
５  弾性伸張体
６  Ｓ字フック
７  分銅錘  
１０  土台
１１  鋼製型枠
１２  コンクリート
１３  セルフレベリング材
１４  ブルーシート
１５  裾部
１６  置石
【図１】
0003108264.tif 000004
【図２】
0003108264.tif 000005
【図３】
0003108264.tif 000006
【図４】
0003108264.tif 000007
【図５】
0003108264.tif 000008
(57)【要約】【課題】  携帯電話機などの機器本体やケースに何度も貼り付けが可能で粘着剤が残留せず、吸着力も低下しないワイピング用シートを提供する【解決手段】  超極細繊維布と吸着性を有するアクリル系のポリマーシートとを貼り合わせてワイピング用シートとし、携帯電話機などに常時、吸着保持させておく。  画面の汚れを拭う際は、本シートを引き剥がし超極細繊維布側を画面に押しつけて拭き取るようにする。【選択図】図２
0003108270.tif 000002
【実用新案登録請求の範囲】
【請求項１】
拭き取り性を有する超極細繊維布と、微細気泡の吸盤作用により吸着性を有するアクリル系のポリマーシートとを貼り合わせてなるワイピング用シート
【請求項２】
超極細繊維布が不織布であることを特徴とする第1項記載のワイピング用シート
【考案の詳細な説明】
【技術分野】
【０００１】
本考案は携帯電話機、カーナビゲーション、パソコンなどの画面及びカメラなどの光学レンズやＣＤ鏡面などの汚れを拭き取るとともに、これらの機器本体もしくはケースに繰り返して着脱できることを可能にするワイピング用シートに関するものである。
【背景技術】
【０００２】
従来からメガネなどの汚れ拭き取り用に超極細繊維から成る織物が使用されている。また携帯電話機の画面の汚れを拭き取るために、このような織物の裏面に粘着剤層を有するシートを張りつけて、携帯電話機の本体に対して着脱可能にしたシートも提案されている。
【考案の開示】
【考案が解決しようとする課題】
【０００３】
しかしながら、上記の粘着剤層を有するシートを貼り合わせたものでは、携帯電話機の本体から引き剥がす際に粘着剤が本体に残留する可能性があるため、好ましくない。またシートを繰り返し引き剥がすことによって粘着力が低下し、脱落する惧れがある。さらに、超極細繊維布として織物を使用する場合には印刷、裁断、打ち抜機加工などに際して寸法安定性に劣る事と、布目のほつれや、埃が発生しやすいと言う欠点がある。
【０００４】
そこで、本考案は携帯電話機などに何度も貼り直しが可能で、本体に粘着剤が残留せず、いつまでも吸着力が低下しないワイピング用シートを提供することを課題とし、さらに、本考案に超極細繊維布として不織布を採用することにより、印刷、裁断、打ち抜機加工などに際して、寸法安定性に優れ、布目のほつれや、埃などが発生しないと言う優れたワイピング用シートを提供することをも課題とする。
【課題を解決するための手段】
【０００５】
上記のような課題を解決するため、超極細繊維布と微細気泡の吸盤作用により吸着性を有するアクリル系のポリマーシートとを貼り合わせて成るポリマーシートを考案した。さらに超極細繊維布として不織布を用いるシートを考案した。
【考案の効果】
【０００６】
上記のように、本考案におけるワイピング用シートは裏面に粘着剤を使用していないため粘着剤が被貼着面である機器本体やケースに残留しないと言う利点を有する。
【０００７】
さらに、繊維布として不織布を用いることにより寸法安定性にすぐれ、裁断や打ち抜き加工時にほつれや埃が発生しないワイピング用シートが得られる。
【考案を実施するための最良の形態】
【０００８】
以下、本考案の実施例を図面に従って説明する。図1は本考案のワイピング用シートの斜視図である。ここで1は超極細繊維布を示す。この超極細繊維布の例としてはカネボー合繊株式会社製のベルーマＸを原糸として使った織物ザウイーナミニマックスが挙げられる。さらに超極細繊維の不織布としては日本バイリーン社製のバイフレッシャー、アポロン並びに同社製の静電気除去性能を併せ持つ「電気とーる」などが挙げられる。
【０００９】
２は表面に微細気泡を有する吸着性のアクリル系ポリマーシートを示す。ここで用いられるアクリル系のポリマーシートはポリマー表面の微細気泡が吸盤のように作用して平滑な表面に吸着する。このようなシートの例として、大成ラミネーター株式会社製のセロピー５５５が挙げられる。このポリマーシートは発泡倍率が1．5倍程度の低発泡フォームからなる。このシートは厚さ、０．５ｍｍ、５０ｍｍ角で対ガラス、０．１５ｋｇ程度のピーリング剥離強さを示す。
【００１０】
３は繊維布とポリマーシートとを貼り合わせるために用いられる粘着剤又は接着剤を示す。
【００１１】
本考案のワイピング用シートの使い方は、例えば、図２のように携帯電話機などの本体にポリマーシート側を吸着保持させておき、画面の汚れを拭き取る際にシートを本体から引き剥がして図５のように超極細繊維布側を画面に押しつけて拭う。
【００１２】
本シートは携帯電話機以外にも、カーナビゲーターやパソコン、電卓、手鏡、時計、ＣＤ盤などの汚れ拭き取り用に同様に利用することができる。
【図面の簡単な説明】
【００１３】
【図１】本考案のワイピング用シートの斜視図である。
【図２】本考案のワイピング用シートを携帯電話機に吸着保持させた状態を示す。
【図３】本考案のワイピング用シートをノート型パソコンに吸着保持させた状態を示す。
【図４】本考案のワイピング用シートを用いてＣＤ鏡面を拭っている状態を示す。
【図５】本考案のワイピング用シートを用いて携帯電話機の画面を拭っている状態を示す。
【符号の説明】
【００１４】
１  ワイピング用極細繊維布
２  アクリル系ポリマーシート
３  粘着剤又は接着剤
４  ワイピング用シート
５  携帯電話機
６  ノート型パソコン
７  ＣＤ鏡面
８  液晶画面
【図１】
0003108270.tif 000003
【図２】
0003108270.tif 000004
【図３】
0003108270.tif 000005
【図４】
0003108270.tif 000006
【図５】
0003108270.tif 000007
(57)【要約】      （修正有）【課題】シリンダー錠をピッキングで容易に空け室内に侵入する被害を防止する。  【解決手段】平形棒１を止金２で止め蝶番１６付合鈎１３を鍵穴に挿入、リール９の芯棒１２に嵌着、合鈎１３を任意数回転するとギア室１４で方向変換リール９の芯棒を回すと決まった回数リールを回して釣糸５を巻くと鉛４が揚り挟着片３で止り平形棒１を止金２と挟持片３で架設突張棒の役を果す。【選択図】図１
0003108267.tif 000002
【実用新案登録請求の範囲】
【請求項１】
住宅の玄関裏引戸所要個所にジュラルミン材平形長方形棒先端を受け止める狭持片を設け他の裏引戸所要個所に該狭持片と平行位置に回動自在嵌着可能ボルトを任意形に固着し平形長方形棒先端に平板鉛を所要量巻着し該棒後端に任意形孔を穿設をした孔に該ボルトを遊嵌、該棒先端鉛部に軟鋼ワイヤーで釣糸を所要量で吊着し釣糸は手巻きリールに繋ぎ、リール釣糸は鍵穴を通し蝶番付鍵を所要数回すと定められた長さの釣糸は自然に止り該棒先端部は揚り該狭着部とボルト部を架設し、該リール芯棒は表引き戸に設置任意形鍵穴を通じて挿入される任意形鍵棒を鍵穴に差し込むと合体棒と嵌合し、合体棒は越棒との間に介在する方向変更するギヤ室を設け鍵棒とリールとの曲りを容易にした戸締り突張棒。
【考案の詳細な説明】
【考案の詳細な説明】
【技術分野】
【０００１】  本考案は戸締り鍵に係るものである。
【背景技術】
【０００２】  従来はシリンダー錠が主体であったが銀行はダイヤルで数字を合わす錠前など複雑なものまで色色ありました。
【考案が解決しようとする課題】
【０００３】  本考案は従来の技術の有するこのような問題に鑑みてなされるもので、その目的とすることは最近はシリンダー錠は鍵穴に細くて鋼い針金を所要量用意ピッチングで容易に空け室内に侵入する被害は後を断切れません。
【課題を解決するための手段】
【０００４】  上記目的を達成するために、本考案における突張り棒をジュラルミン材を使用片方の端に平板鉛を巻着し片方の端に孔をあけボルトと逆Ｌ字形挟持片に該突張棒を架設鉛の付いた方に軟鋼ワイヤー釣糸長さを定めて吊着、突張り棒使用際は鉛の付いた方を吊り上げると挟持片で挟持放すと鉛の重さで突張棒は下る。
【考案を実施するための最良の形態】
【０００５】  考案の実施の形態について図面を参照して説明する。図１の１平形棒を２止金で止め蝶番付合鈎１３、１６を鍵穴に挿入、リール９の芯棒１２、１３に嵌着、合鈎１３、１６を任意数回転するとギヤ室１４で方向変換リール９の芯棒を回すときまった回数リールを回して釣糸５を巻くと鉛４が揚り挟着片３で止り平形棒１を止金２と挟持片３で架設突張棒の役を果した。取付容器は１５嵌合口１３と鍵棒１３、１６と嵌合しない場合該容器を回転すれば容易に嵌着する。
【考案の効果】
【０００６】  本考案は上記のように構成されているので次に記載する効果を奏する。
ピッチングで開いたのが開かなくなり安心して使事に出かける様になり又寝室には天井を水道パイプで繋ぎ釣糸を通し釣スベリ止め等を適当に配設して釣はベッドのパイプに掛けすべり止めを放ぜば突張棒は鉛の重りで開く。
【図面の簡単な説明】
【図１】本考案の実施の例の側面図
【図２】合鍵の側面図
【符号の説明】
１  平形棒
２  留金
３  挟持片
４  平板鉛
５  釣糸
６  ガイド
７  横機
８  従機
９  リール
１０  壁板
１１  巻着金具
１２  芯棒
１３  嵌合口
１４  ギヤ室
１５  取り付容器
１６  蝶番
【図１】
0003108267.tif 000003
【図２】
0003108267.tif 000004
(57)【要約】      （修正有）【課題】布体により遺体を被覆し、火葬するまでの期間、腐敗を抑制し、腐臭を消滅する。【解決手段】光触媒物質粉末を溶着した布地でなる布体１の一端側に、透明シートを張着した窓部２を設け、又、布体１の窓部２を設けた一端側と、その他端を折返し頭部分３、及び折返し足部分４に形成すると共に、中央部分７の両側を、折返し左部分５、及び折返し右部分６に形成し、顔部分が可視できる状態で遺体を被覆する事により、遺体の火葬までの短期間、腐敗を抑制し、かつ、腐敗臭を消臭する。【選択図】図５
0003108246.tif 000002
【実用新案登録請求の範囲】
【請求項１】
光触媒物質粉末を溶着した布地でなる布体１の一端側に、透明シートを張着した窓部２を設けた遺体保存用被覆布体。
【請求項２】
布体１の窓部２を設けた一端側と、その他端を折返し頭部分３、及び折返し足部分４に形成すると共に、中央部分７の両側を、折返し左部分５、及び折返し右部分６に形成した請求項１記載の遺体保存用被覆布体。
【考案の詳細な説明】
【技術分野】
【０００１】  本考案は、死亡から火葬（荼毘）を行う迄の期間、ドライアイスを使用せずに、遺体を無臭保存する為に使用するものである。［背景技術］【０００２】  死亡時から火葬までの期間、遺体を保存する場合、棺内にドライアイスを入れて、遺体を冷却し、腐敗を防止していた。［考案の開示］［考案が解決しようとする課題］【０００３】  人が死亡した後、仏式、神式、キリスト教など、宗教や宗派により葬儀の形式は異なっても、死亡時より火葬（荼毘）までの期間は、遺体を収納した棺内にドライアイスを入れて遺体を冷却する事により腐敗防止して保存している。この為、ドライアイスは必要不可欠なものであるが、火葬の際にドライアイスは炉温上昇の妨げとなり、又、大気汚染上からも開く影響があるなどの理由で、使用が禁止され、火葬時に除去させる傾向にある。【０００４】  従って、光触媒物質粉末を溶着した布体により、遺体を被覆する事により、ドライアイスを使用しなくても遺体の死臭を消臭して保存できるので、前述の弊害を解決する。［課題を解決するための手段］【０００５】  本考案は、光触媒物質粉末を溶着により付着させた布地で成る被覆布体を使用し、その一端側に、透明シートを帳着して構成した窓部を設け、使用の際は、この被覆布体を遺体の上に掛けて遺体全体を被覆する。又、被覆用布体を充分の大きさとし、窓部を設けた一端側と、その他端側を折返し頭部分及び折返し足部分に形成すると共に、中央部分の両側を折返し左部分及び折返し右部分に形成し、使用の際は、中央部分を遺体の背部側に敷き、折返し頭部分、折返し足部分、折返し左部分、折返し右部分をそれざれ上側に折り返し、遺体の腹部側を覆い、被覆布体に付着する光触媒を作用させる事により、ドライアイスを用いずに、遺体の腐敗を抑制し、死臭を消臭する。［考案の効果］【０００６】  上述のように、本考案に係る光触媒物質粉末を溶着した被覆布体は、遺体の上側に掛けて遺体全体を被覆したり、または中央部分を敷き、その四端部を折返して遺体全体を被覆して使用するが、被覆布体に広く溶着してある光触媒物質粉末の作用で、遺体の腐敗を抑制し、腐敗に伴う死臭を消臭させる事により、死亡時から火葬までの短期間における遺体の保存に役立つ効果を有する。【００７】  透明シートを帳着した窓部は、遺体の顔に位置させ、棺の蓋体に設けた窓位置と一致させる事により、火葬時までの間の通夜や葬儀の際に、遺体の顔を見て惜別する事が可能となる。又、被覆布体は、火葬時に無害に焼却され、付着する光触媒物質粉末は、焼却時において、燃焼の阻害、有害ガスの発生などの悪現象は発生しない。［考案を実施するための最良の形態］【０００８】  本考案は、被覆布体に光触媒物質粉末を付着させる際、その粉末は粉体工学上可能な最微小粉に製粉した粉末を緻密に付着させる程、布地の柔軟性が損なわれずに、光触媒物質の表面積が拡大して光触媒作用が増大し、所期の防腐、消臭効果の向上となる。光触媒物質粉末を布体に付着させる手段は多種あるが、布体への付着は、布地を損傷せず、柔軟性を保持して強固に固着する事ができる、公知の低温熱溶着手段が適している。［実施例１］【０００９】  以下、添付図面の図１と図２により一実施例を説明する。１は、光が触媒物質粉末を溶着した布地でなる被覆布体であり、この被覆布体１は布地の特性である柔軟性に富み、自由に折りたたみする事ができる。２は、被覆布体の一端側に透明シートを帳着して構成した窓部であり、その位置は、被覆布体１を上に掛けて遺体を被覆した時、遺体の顔の位置に相当する。［実施例２］【００１０】  図３及び図４、図５は、他の実施例を示す。被覆布体１の大きさを実施例１の２倍程度とし、図３に示す通り、四方の端部を折返し部分に構成し、窓部２を設けた一端側と、その他端側を折返し頭部分３及び折返し足部分４に形成すると共に、中央部分７の両側を折返し左部分５及び折返し右部分６に形成する。この実施例における被覆布体１は、図４及び図５に示す通り、使用の際は、中央部分７を遺体の背部側に敷き、折返し頭部分３、折返し足部分４、折返し左部分５、折返し右部分６を、それぞれ上側に折り返して、遺体の腹部側を覆い、折返し左部分５に縫い着けた複数の係着片９と、折返し左部分６に縫い着けた複数の被係着片１０を係着する事により、遺体を完全に被覆する。従って、被覆される遺体は、被覆布体１に付着する光触媒物質粉末の作用により、ドライアイスを用いる事なく、遺体の腐敗を抑制し、死臭を消失させる事ができる。又、窓部２は遺体の顔部の上に位置させ、被覆後における顔部の可視を可能にする。
【図面の簡単な説明】
【００１１】
【図１】本考案の一実施例の平面図である。
【図２】図１に示す実施例の使用状態の一部切欠斜視図である。
【図３】本考案の他の実施例の展開図である。
【図４】図３に示す実施例の使用状態の縦断端面図である。
【図５】図３に示す実施例の使用状態の一部切欠斜視図である。
【符号の説明】
【００１２】１．    光触媒物質粉末を付着させた被覆布体２．    窓部３．    折返し頭部分４．    折返し足部分５．    折返し左部分６．    折返し右部分７．    中央部分８．    棺９．    係着片１０．  被係着片
【図１】
0003108246.tif 000003
【図２】
0003108246.tif 000004
【図３】
0003108246.tif 000005
【図４】
0003108246.tif 000006
【図５】
0003108246.tif 000007
(57)【要約】      （修正有）【課題】物干し竿に掛けた洗濯物のハンガーが、風の影響を受けて物干し竿沿いに滑って片方に寄ってしまい、洗濯物が濡れた状態で密着する事により乾きにくくなる事や、また洗濯物のハンガーが物干し竿から外れて飛散落下するのを防止する事で、洗濯物をよく乾かす事を目的とする。【解決手段】物干し竿１に滑り止めマット２を両面接着テープ３で止めて巻きつけ、洗濯物のハンガーを物干し竿に掛けたときに、滑り止めマットの効果で、風に煽られて物干し竿沿いに滑って片方に寄ってしまう事もなく、また飛散落下する事もないので、洗濯物を良く乾かす事ができる。【選択図】図１
0003108244.tif 000002
【実用新案登録請求の範囲】
【請求項１】
物干し竿に滑り止めマットを巻き、物干し竿と滑り止めマットとを両面接着テープで止める事を特徴としているハンガー滑り止め物干し竿カバーである。
【考案の詳細な説明】
【考案の詳細な説明】
【産業上の利用分野】
【０００１】  本考案は、物干し竿に掛けた洗濯物のハンガーが、風に煽られて物干し竿の片方に寄ったり、飛散落下するのを防止する物干し竿のカバーに関するものである。
【背景技術】
【０００２】  物干し竿に掛けた洗濯物のハンガーが、風に煽られて物干し竿の片方に寄ってしまい、洗濯物が濡れた状態で密着しあい乾きにくくなったり、また洗濯物のハンガーが物干し竿から外れて飛散落下し、洗濯物が汚れる事があった。ハンガーが風に煽られて物干し竿沿いに滑ったり、飛散落下することを防止する物干し竿カバーは無かった。
【考案が解決しようとする課題】
【０００３】  物干し竿に掛けた洗濯物のハンガーが、風の影響を受けて物干し竿沿いに滑って片方に寄ってしまい、洗濯物が濡れた状態で密着する事により乾きにくくなったり、また洗濯物のハンガーが物干し竿から外れて飛散落下し、洗濯物が汚れる事があった。それらを阻止するために滑り止めマットを物干し竿に巻付けて、ハンガーの滑ることを防止することが可能になり前述の欠点を解消しようとするものである。
【課題を解決するための手段】
【０００４】  本考案は、物干し竿に滑り止めマットを両面接着テープで内側、外側と２重に止めて巻き付ける事により、風の影響を受けて物干し竿沿いに滑って片方に寄ったり、また洗濯物のハンガーが物干し竿から外れて飛散落下するのを防止する事で、問題点を解決している。
【作用】
【０００５】  物干し竿に巻き付けた滑り止めマットの効果で、洗濯物のハンガーが風に煽られて、物干し竿沿いに滑って片方に寄ってしまう事も飛散落下する事もなく、洗濯物がよく乾くようになる。
【実施例】
【０００６】  以下、添付図面に従って一実施例を説明する。１は通常の物干し竿である。２は滑り止めマットである。３は物干し竿と滑り止めマットを接着する両面テープである。【０００７】  ２の滑り止めマットの上下に３の両面接着テープの片面の接着部を貼り付け、もう一方側の接着部は１の通常の物干し竿に貼り付けて密着する。洗濯物のハンガーを物干し竿に掛けたときに、２の滑り止めマットの効果で、風に煽られて物干し竿沿いに滑って片方に寄ってしまう事もなく、また飛散落下する事もないのである。【０００８】  以上、本考案を実施例に基づいて説明してきたが、滑り止めマットと物干し竿を固定する材料はしっかりと止められれば良いものであり、両面接着テープに限定したものではない。又、滑り止めマットも滑りにくい素材であれば良い。
【考案の効果】
【０００９】  上述の様に、ハンガー滑り止め物干し竿カバーは、物干し竿に掛けた洗濯物のハンガーが、風の影響を受けて物干し竿沿いに滑って片方に寄ってしまい、洗濯物が濡れた状態で密着する事により乾きにくくなったり、また洗濯物のハンガーが物干し竿から外れて飛散落下するのを防止する事で、洗濯物がよく乾くようになる。
【図面の簡単な説明】
【図１】  本考案のハンガー滑り止め物干し竿カバーの一実施例を示す正面図である。
【図２】  ハンガー滑り止め物干し竿カバーの切断面の図面である。
【符号の説明】
１    物干し竿
２    滑り止めマット
３    両面接着テープ
【図１】
0003108244.tif 000003
【図２】
0003108244.tif 000004